(57)【要約】【課題】ディスク交換時に、ユーザが行なう操作を軽減して迅速に記録可能な状態にする。【解決手段】記録媒体に画像データを記録する記録フォーマットを、複数種類の記録フォーマットの中から任意に選択する記録フォーマット選択手段と、前記記録フォーマット選択手段により選択された記録フォーマットに従って前記記録媒体を初期化する初期化手段と、前記記録媒体を記録する記録フォーマットの種類を記憶媒体に記憶する記憶手段と、前記記憶媒体に記憶された記録フォーマットの種類に従い、先に装着された前記記録媒体に代えて新たに装着された記録媒体を初期化するように前記初期化手段を制御すると共に、前記初期化された記録媒体に対して前記記憶媒体に記憶された記録フォーマットの種類に従って前記画像データを前記記録媒体に記録するように、画像データを記録媒体に記録する記録手段を制御する制御手段とを備える。【選択図】  図１
2007328901.tif 000002
【特許請求の範囲】
【請求項１】
装着された記録媒体に画像データを記録する記録手段を有する記録装置であって、
前記記録手段が前記記録媒体に画像データを記録する記録フォーマットを、複数種類の記録フォーマットの中から任意に選択する記録フォーマット選択手段と、
前記記録フォーマット選択手段により選択された記録フォーマットに従って前記記録媒体を初期化する初期化手段と、
前記記録媒体を記録する記録フォーマットの種類を記憶媒体に記憶する記憶手段と、
前記記憶媒体に記憶された記録フォーマットの種類に従い、先に装着された前記記録媒体に代えて新たに装着された記録媒体を初期化するように前記初期化手段を制御すると共に、前記初期化された記録媒体に対して前記記憶媒体に記憶された記録フォーマットの種類に従って前記画像データを前記記録媒体に記録するように前記記録手段を制御する制御手段とを備えることを特徴とする記録装置。
【請求項２】
通常記録モードと連続記録モードとを切り替えるモード切り替え手段を備え、
前記制御手段は、前記通常記録モードにおいては初期化処理されていない記録媒体を前記記録フォーマット選択手段により選択された記録フォーマットの種類に従って初期化し、前記連続記録モードにおいては初期化されていない記録媒体を前記記憶媒体に記憶された記録フォーマットの種類に従って初期化するように前記初期化手段を制御することを特徴とする請求項１に記載の記録装置。
【請求項３】
前記連続記録モードにおいては、前記記憶手段は前記先に装着された記録媒体の記録フォーマットの種類を前記記憶媒体に記憶し、前記制御手段は前記先に装着された記録媒体に代えて新たに装着された記録媒体を前記記憶媒体に記憶された記録フォーマットの種類に従って初期化するように前記初期化手段を制御することを特徴とする請求項２に記載の記録装置。
【請求項４】
前記記録フォーマットの選択用画面を表示装置に表示する表示手段を備え、
前記記録フォーマット選択手段は、前記表示装置に表示された選択用画面の選択状態に従って記録フォーマットを選択し、前記制御手段は、前記通常記録モードにおいては前記初期化されていない記録媒体が装着された場合に前記選択用画面を表示し、前記連続記録モードにおいては前記初期化されていない記録媒体が装着された場合であっても前記表示装置に前記選択用画面を表示することを禁止するように前記表示手段を制御することを特徴とする請求項２に記載の記録装置。
【請求項５】
前記新たに装着された記録媒体が初期化済みであるか否かを判別する初期化判別手段と、前記初期化判別手段により初期化済みと判別された記録媒体の記録フォーマットを検出する記録フォーマット検出手段とを備え、
前記制御手段は、前記新たに装着された記録媒体が初期化済みであった場合、前記記録フォーマット検出手段により検出された記録フォーマットに従って前記画像データを前記記録媒体に記録するように前記記録手段を制御することを特徴とする請求項１に記載の記録装置。
【請求項６】
装着された記録媒体に画像データを記録する記録手段を有する記録装置であって、
前記記録手段が前記記録媒体に画像データを記録する記録フォーマットを、複数種類の記録フォーマットの中から任意に選択する記録フォーマット選択手段と、
前記記録フォーマット選択手段により選択された記録フォーマットに従って前記記録媒体を初期化する初期化手段と、
前記初期化手段が前記記録媒体を初期化するモードを、通常記録モードと連続記録モードとに切り替えるモード切り替え手段とを備え、
前記初期化手段は、前記モード切り替え手段により通常記録モードに切り替えられた場合には、先に装着された記録媒体と前記先に装着された記録媒体に代えて新たに装着された記録媒体とを、前記選択手段により選択された記録フォーマットに従って初期化し、前記連続記録モードに切り替えられた場合には、前記先に装着された記録媒体の記録フォーマットに基づいて前記新たに装着された記録媒体を初期化することを特徴とする記録装置。
【請求項７】
装着された記録媒体に画像データを記録する記録手段を用いた記録方法であって、
前記記録手段が前記記録媒体に画像データを記録する記録フォーマットを、複数種類の記録フォーマットの中から任意に選択する記録フォーマット選択工程と、
前記記録フォーマット選択工程において選択された記録フォーマットに従って前記記録媒体を初期化する初期化工程と、
前記記録媒体を記録する記録フォーマットの種類を記憶媒体に記憶する記憶工程と、
前記記憶媒体に記憶された記録フォーマットの種類に従い、先に装着された前記記録媒体に代えて新たに装着された記録媒体を初期化するように前記初期化工程を制御すると共に、前記初期化された記録媒体に対して前記記憶媒体に記憶された記録フォーマットの種類に従って前記画像データを前記記録媒体に記録するように前記記録手段を制御する制御工程とを備えることを特徴とする記録方法。
【請求項８】
通常記録モードと連続記録モードとを切り替えるモード切り替え工程を備え、
前記制御工程は、前記通常記録モードにおいては初期化処理されていない記録媒体を前記記録フォーマット選択工程において選択された記録フォーマットの種類に従って初期化し、前記連続記録モードにおいては初期化されていない記録媒体を前記記憶媒体に記憶された記録フォーマットの種類に従って初期化するように前記初期化工程を制御することを特徴とする請求項７に記載の記録方法。
【請求項９】
前記連続記録モードにおいては、前記記憶工程は前記先に装着された記録媒体の記録フォーマットの種類を前記記憶媒体に記憶し、前記制御工程は前記先に装着された記録媒体に代えて新たに装着された記録媒体を前記記憶媒体に記憶された記録フォーマットの種類に従って初期化するように前記初期化工程を制御することを特徴とする請求項８に記載の記録方法。
【請求項１０】
前記記録フォーマットの選択用画面を表示装置に表示する表示工程を備え、
前記記録フォーマット選択工程は、前記表示装置に表示された選択用画面の選択状態に従って記録フォーマットを選択し、前記制御工程は、前記通常記録モードにおいては前記初期化されていない記録媒体が装着された場合に前記選択用画面を表示し、前記連続記録モードにおいては前記初期化されていない記録媒体が装着された場合であっても前記表示装置に前記選択用画面を表示することを禁止するように前記表示工程を制御することを特徴とする請求項８に記載の記録方法。
【請求項１１】
前記新たに装着された記録媒体が初期化済みであるか否かを判別する初期化判別工程と、前記初期化判別工程において初期化済みと判別された記録媒体の記録フォーマットを検出する記録フォーマット検出工程とを備え、
前記制御工程は、前記新たに装着された記録媒体が初期化済みであった場合、前記記録フォーマット検出工程において検出された記録フォーマットに従って前記画像データを前記記録媒体に記録するように前記記録手段を制御することを特徴とする請求項７に記載の記録方法。
【請求項１２】
装着された記録媒体に画像データを記録する記録手段を有する記録装置を用いた記録方法であって、
前記記録手段が前記記録媒体に画像データを記録する記録フォーマットを、複数種類の記録フォーマットの中から任意に選択する記録フォーマット選択工程と、
前記記録フォーマット選択工程において選択された記録フォーマットに従って前記記録媒体を初期化する初期化工程と、
前記初期化工程が前記記録媒体を初期化するモードを、通常記録モードと連続記録モードとに切り替えるモード切り替え工程とを備え、
前記初期化工程においては、前記モード切り替え工程において通常記録モードに切り替えられた場合には、先に装着された記録媒体と前記先に装着された記録媒体に代えて新たに装着された記録媒体とを、前記選択工程において選択された記録フォーマットに従って初期化し、前記連続記録モードに切り替えられた場合には、前記先に装着された記録媒体の記録フォーマットに基づいて前記新たに装着された記録媒体を初期化することを特徴とする記録方法。
【請求項１３】
記録手段により、装着された記録媒体に画像データを記録するための各工程をコンピュータに実行させるプログラムであって、
前記記録手段が前記記録媒体に画像データを記録する記録フォーマットを、複数種類の記録フォーマットの中から任意に選択する記録フォーマット選択工程と、
前記記録フォーマット選択工程において選択された記録フォーマットに従って前記記録媒体を初期化する初期化工程と、
前記記録媒体を記録する記録フォーマットの種類を記憶媒体に記憶する記憶工程と、
前記記憶媒体に記憶された記録フォーマットの種類に従い、先に装着された前記記録媒体に代えて新たに装着された記録媒体を初期化するように前記初期化工程を制御すると共に、前記初期化された記録媒体に対して前記記憶媒体に記憶された記録フォーマットの種類に従って前記画像データを前記記録媒体に記録するように前記記録手段を制御する制御工程とをコンピュータに実行させることを特徴とするプログラム。
【請求項１４】
装着された記録媒体に画像データを記録する記録手段を有する記録装置において、前記画像データを記録する各工程をコンピュータに実行させるプログラムであって、
前記記録手段が前記記録媒体に画像データを記録する記録フォーマットを、複数種類の記録フォーマットの中から任意に選択する記録フォーマット選択工程と、
前記記録フォーマット選択工程において選択された記録フォーマットに従って前記記録媒体を初期化する初期化工程と、
前記初期化工程が前記記録媒体を初期化するモードを、通常記録モードと連続記録モードとに切り替えるモード切り替え工程とをコンピュータに実行させ、
前記初期化工程においては、前記モード切り替え工程において通常記録モードに切り替えられた場合には、先に装着された記録媒体と前記先に装着された記録媒体に代えて新たに装着された記録媒体とを、前記選択工程において選択された記録フォーマットに従って初期化し、前記連続記録モードに切り替えられた場合には、前記先に装着された記録媒体の記録フォーマットに基づいて前記新たに装着された記録媒体を初期化することを特徴とするプログラム。
【請求項１５】
請求項１３または１４に記載のプログラムを記憶したことを特徴とするコンピュータ読み取り可能な記憶媒体。
【発明の詳細な説明】
【技術分野】
【０００１】
本発明は記録装置及び記録方法に関し、特に、複数の記録媒体に対して画像信号を記録する際に用いて好適な技術に関する。
【背景技術】
【０００２】
従来、被写体を撮影して得られた画像信号を磁気テープやメモリカード、光ディスクなどに記録再生するビデオカメラが知られている。近年では、ＤＶＤ（Digital Versatile Disk）に対して画像信号を記録再生するディスクビデオカメラが登場している。
【０００３】
記録可能なＤＶＤディスクとして複数種類のディスクが提案されている。これら複数種類のＤＶＤディスクのうち、ビデオカメラでは、追記型ディスクであるＤＶＤ−Ｒや、書き替え可能ディスクであるＤＶＤ−ＲＷ、ＤＶＤ−ＲＡＭが用いられることが多い。
【０００４】
また、各ＤＶＤディスクにデータを記録する際の論理フォーマットは、ＤＶＤビデオフォーマットとＤＶＤビデオレコーディング（ＶＲ）フォーマットが提案されており、ディスクの種類に対して記録フォーマットが対応づけられている。
【０００５】
例えば、ＤＶＤ−Ｒに対してはビデオフォーマットで記録し、ＤＶＤ−ＲＡＭに対してはＶＲフォーマットで記録するように対応づけられている。また、ＤＶＤ−ＲＷに対しては、ビデオフォーマットとＶＲフォーマットの何れかを選択することができる。
【０００６】
そこで、新たにディスクが装着されると、ビデオカメラは、装着されたディスクの種類を判別する。そして、新たに装着されたディスクがＤＶＤ−ＲＷであった場合には、ビデオモードとＶＲモードの何れかのフォーマットをユーザが選択し、選択された記録フォーマットに従い、ディスクを初期化することで記録が可能となるようにする技術が提案されている（例えば、特許文献１参照）。
【０００７】
【特許文献１】特開２００３−１７８４４５号公報
【発明の開示】
【発明が解決しようとする課題】
【０００８】
現在、ビデオカメラ用に使用されているＤＶＤディスクは、約１．４ＧＢの記録容量を持っており、標準モード（記録レート約６Ｍｂｐｓ）で２０分から３０分の画像、音声データを記録することができる。
【０００９】
したがって、長時間撮影する場合には、頻繁にディスクを交換する必要がある。ディスクを交換した場合、前述のディスク認識、フォーマット処理に加え、光ビームのパワーの最適化処理などを行なう必要があるため、ユーザは、撮影可能となるまでに長い期間待たされる場合があった。
【００１０】
また、新たに装着されたディスクが一度も記録に用いたことがないディスクであった場合には、初期化処理を行う必要がある。特に、ビデオフォーマットとＶＲ（Ｖｉｄｅｏ Ｒｅｃｏｒｄｉｎｇ）フォーマットを選択できる場合、ユーザはその都度記録フォーマットを指定する必要があった。このため、ディスク交換を迅速に完了し、すぐに撮影にかかりたい場合には、このような記録フォーマットの選択動作は、ユーザにとって非常に煩わしかった。
【００１１】
本発明は前述の問題点にかんがみ、ディスク交換時に、複数種類の記録フォーマットのうちから選択された記録フォーマットに従って画像データを記録するためにユーザが行わなければならない操作を軽減できるようにすることを目的する。
【課題を解決するための手段】
【００１２】
本発明の記録装置は、装着された記録媒体に画像データを記録する記録手段を有する記録装置であって、前記記録手段が前記記録媒体に画像データを記録する記録フォーマットを、複数種類の記録フォーマットの中から任意に選択する記録フォーマット選択手段と、前記記録フォーマット選択手段により選択された記録フォーマットに従って前記記録媒体を初期化する初期化手段と、前記記録媒体を記録する記録フォーマットの種類を記憶媒体に記憶する記憶手段と、前記記憶媒体に記憶された記録フォーマットの種類に従い、先に装着された前記記録媒体に代えて新たに装着された記録媒体を初期化するように前記初期化手段を制御すると共に、前記初期化された記録媒体に対して前記記憶媒体に記憶された記録フォーマットの種類に従って前記画像データを前記記録媒体に記録するように前記記録手段を制御する制御手段とを備えることを特徴とする。
また、本発明の記録装置の他の特徴とするところは、装着された記録媒体に画像データを記録する記録手段を有する記録装置であって、前記記録手段が前記記録媒体に画像データを記録する記録フォーマットを、複数種類の記録フォーマットの中から任意に選択する記録フォーマット選択手段と、前記記録フォーマット選択手段により選択された記録フォーマットに従って前記記録媒体を初期化する初期化手段と、前記初期化手段が前記記録媒体を初期化するモードを、通常記録モードと連続記録モードとに切り替えるモード切り替え手段とを備え、前記初期化手段は、前記モード切り替え手段により通常記録モードに切り替えられた場合には、先に装着された記録媒体と前記先に装着された記録媒体に代えて新たに装着された記録媒体とを、前記選択手段により選択された記録フォーマットに従って初期化し、前記連続記録モードに切り替えられた場合には、前記先に装着された記録媒体の記録フォーマットに基づいて前記新たに装着された記録媒体を初期化することを特徴とする。
【００１３】
本発明の記録方法は、装着された記録媒体に画像データを記録する記録手段を用いた記録方法であって、前記記録手段が前記記録媒体に画像データを記録する記録フォーマットを、複数種類の記録フォーマットの中から任意に選択する記録フォーマット選択工程と、前記記録フォーマット選択工程において選択された記録フォーマットに従って前記記録媒体を初期化する初期化工程と、前記記録媒体を記録する記録フォーマットの種類を記憶媒体に記憶する記憶工程と、前記記憶媒体に記憶された記録フォーマットの種類に従い、先に装着された前記記録媒体に代えて新たに装着された記録媒体を初期化するように前記初期化工程を制御すると共に、前記初期化された記録媒体に対して前記記憶媒体に記憶された記録フォーマットの種類に従って前記画像データを前記記録媒体に記録するように前記記録手段を制御する制御工程とを備えることを特徴とする。
また、本発明の記録方法の他の特徴とするところは、装着された記録媒体に画像データを記録する記録手段を有する記録装置を用いた記録方法であって、前記記録手段が前記記録媒体に画像データを記録する記録フォーマットを、複数種類の記録フォーマットの中から任意に選択する記録フォーマット選択工程と、前記記録フォーマット選択工程において選択された記録フォーマットに従って前記記録媒体を初期化する初期化工程と、前記初期化工程が前記記録媒体を初期化するモードを、通常記録モードと連続記録モードとに切り替えるモード切り替え工程とを備え、前記初期化工程においては、前記モード切り替え工程において通常記録モードに切り替えられた場合には、先に装着された記録媒体と前記先に装着された記録媒体に代えて新たに装着された記録媒体とを、前記選択工程において選択された記録フォーマットに従って初期化し、前記連続記録モードに切り替えられた場合には、前記先に装着された記録媒体の記録フォーマットに基づいて前記新たに装着された記録媒体を初期化することを特徴とする。
【００１４】
本発明のプログラムは、記録手段により、装着された記録媒体に画像データを記録するための各工程をコンピュータに実行させるプログラムであって、前記記録手段が前記記録媒体に画像データを記録する記録フォーマットを、複数種類の記録フォーマットの中から任意に選択する記録フォーマット選択工程と、前記記録フォーマット選択工程において選択された記録フォーマットに従って前記記録媒体を初期化する初期化工程と、前記記録媒体を記録する記録フォーマットの種類を記憶媒体に記憶する記憶工程と、前記記憶媒体に記憶された記録フォーマットの種類に従い、先に装着された前記記録媒体に代えて新たに装着された記録媒体を初期化するように前記初期化工程を制御すると共に、前記初期化された記録媒体に対して前記記憶媒体に記憶された記録フォーマットの種類に従って前記画像データを前記記録媒体に記録するように前記記録手段を制御する制御工程とをコンピュータに実行させることを特徴とする。
また、本発明のプログラムの他の特徴とするところは、装着された記録媒体に画像データを記録する記録手段を有する記録装置において、前記画像データを記録する各工程をコンピュータに実行させるプログラムであって、前記記録手段が前記記録媒体に画像データを記録する記録フォーマットを、複数種類の記録フォーマットの中から任意に選択する記録フォーマット選択工程と、前記記録フォーマット選択工程において選択された記録フォーマットに従って前記記録媒体を初期化する初期化工程と、前記初期化工程が前記記録媒体を初期化するモードを、通常記録モードと連続記録モードとに切り替えるモード切り替え工程とをコンピュータに実行させ、前記初期化工程においては、前記モード切り替え工程において通常記録モードに切り替えられた場合には、先に装着された記録媒体と前記先に装着された記録媒体に代えて新たに装着された記録媒体とを、前記選択工程において選択された記録フォーマットに従って初期化し、前記連続記録モードに切り替えられた場合には、前記先に装着された記録媒体の記録フォーマットに基づいて前記新たに装着された記録媒体を初期化することを特徴とする。
【発明の効果】
【００１５】
本発明によれば、メモリに記憶しておいた先のディスクの記録フォーマットに従って自動的にディスクを初期化処理する。これにより、ユーザは、初期化されていない未記録ディスクが装着される度に、記録フォーマットの設定処理を行なわずに済み、記録を迅速に開始することが可能となる。
【発明を実施するための最良の形態】
【００１６】
（第１の実施形態）
以下、図面を参照しながら、本発明の実施形態について説明する。
図１は、カメラ一体型の動画記録再生装置（ビデオカメラ）１００の構成を表すブロック図である。ビデオカメラ１００の起動時には、フラッシュメモリ１１３内に圧縮されたプログラムは、プログラムメモリ１１２に解凍／展開される。ＣＰＵ１１１は、プログラムメモリ１１２内のプログラムに従い、各種の制御動作を行なう。
【００１７】
被写体からの光は、レンズ群１０１を通して撮像素子１０２に結像される。撮像素子１０２に結像された被写体象は光電変換されて、電気信号となる。撮像素子１０２からの光電変換画像は、所定の周期で読み出され、カメラ信号処理部１０３にて、標準的な画像信号になるように信号処理され、標準的なデジタル動画像として、画像メモリ１０４に一時的に蓄積される。
【００１８】
また、カメラ信号処理部１０３からのデジタル動画像はディスプレイ１０６へと送られ、現在撮像中の動画像が表示される（撮影待機状態）。撮影待機状態で、操作スイッチ１０５に含まれる不図示の撮影ボタンが押されると撮影が開始される。
【００１９】
撮影ボタンが押されて撮影が開始されると、画像メモリ１０４に一時的に蓄積された動画像データは、動画符号化復号化部１０８において符号化され、フォーマット化部１１５に送られる。フォーマット化部１１５は、符号化された動画像データをＤＶＤフォーマットに則した形式へ変換し、ショックプルーフメモリ１１６に送る。ショックプルーフメモリ１１６に一定量のデータが蓄積されると、インターフェース（Ｉ／Ｆ）１１０によりショックプルーフメモリ１１６からデータを読み出してＤＶＤディスク１０９に記録する処理が行われる。そして、操作スイッチ１０５に含まれる撮影ボタンが再度押されると記録終了となり、１カットの動画クリップの記録が終了する。
【００２０】
一方、前述の撮影待機状態で、静止画撮影ボタンが押されると、画像メモリ１０４に蓄積された動画像データのうちの一画面が静止画符号化復号化部１０７に送られる。静止画符号化復号化部１０７はこの一画面の画像データを静止画像として符号化し、ショックプルーフメモリ１１６に送る。インターフェース１１０はショックプルーフメモリ１１６に蓄積された静止画像データを読み出してＤＶＤディスク１０９に記録する。なお、図１において１１４は画像処理部、１１７はデータバスである。
【００２１】
本実施形態のビデオカメラ１００においては、ユーザは、操作スイッチ１０５により、予め設けられた複数の画質モードの中から記録する動画像の画質を任意に選ぶことができる。本実施形態では、標準モードと高画質モードの２つの画質モードを設けている。標準モードは、高画質モードよりも記録する動画像データのデータレートが低い。そのため、標準モードでは高画質モードよりも一枚のディスクに長時間動画像を記録することができる。設定された画質モードの情報はフラッシュメモリ１１３に記憶され、電源がオフになってもフラッシュメモリ１１３に保持される。
【００２２】
本実施形態では、ＤＶＤディスク１０９としてＤＶＤ−ＲＷディスクを使用し、記録フォーマットとして、ＤＶＤビデオフォーマット、またはＤＶＤビデオレコーディング（ＶＲ）フォーマットを用いる。ＤＶＤビデオフォーマット、またはＤＶＤビデオレコーディング（ＶＲ）フォーマットの何れを用いるかはユーザにより選択され、選択されたフォーマットが記録フォーマット選択手段として機能するＣＰＵ１１１により設定される。これらのディスクは、不図示のイジェクト機構により、ビデオカメラ１００に対して装着されたり、排出されたりする。
【００２３】
次に、電源投入に伴うビデオカメラ１００の動作について説明する。
図９は、電源投入時におけるＣＰＵ１１１の制御動作を示すフローチャートである。
電源が投入されると、まず、ステップＳ９０１において、現在設定されている記録モードを検出する。本実施形態では、通常記録モードに加え、連続記録モードを設けている。
【００２４】
本実施形態では、例えば、あるイベントなど、画像を複数のディスクにわたって記録することが予測される際に、ディスク交換に伴う準備時間を短くして、迅速に撮影を開始するための連続記録モードを設けている。また、本実施形態では、連続記録モードで記録された複数のディスクを１つのグループとして管理しておき、撮影後に、このグループ内の順序とグループの全ディスク数を示す順序情報を記録する。
【００２５】
ステップＳ９０１における検出の結果、現在の記録モードが連続記録モードであった場合、ステップＳ９０２に進み、ＤＶＤディスク１０９がビデオカメラ１００に装着されているか否かを判別する。この判別の結果、ＤＶＤディスク１０９が装着済みの場合には、ステップＳ９０６に進み、連続記録モードに移行する。
【００２６】
また、ステップＳ９０２の判別の結果、ＤＶＤディスク１０９が装着されていない場合、ステップＳ９０３に進んでディスプレイ１０６に対し、ディスク装着を促す為の警告情報を表示する。その後、ステップＳ９０４において、ディスクが装着されるのを待つ。そして、ＤＶＤディスク１０９が装着されるとステップＳ９０６に進んで連続記録モードの処理に移行する。また、ディスクが装着されない場合にはステップＳ９０５に進み、電源オフの指示があるか否かを判断する。この判断の結果、電源オフの操作が行われている場合には、ビデオカメラ１００の電源をオフして処理を終了する。また、ステップＳ９０１で、現在の記録モードが通常記録モードであった場合、ステップＳ９０７に進み、通常記録モードに移行する。
【００２７】
次に、通常記録モードの処理について説明する。
図１０は通常記録モードの動作を示すフローチャートである。
まず、ステップＳ１００１において、準備処理を実行する。ここで行われる準備処理の詳細を図１１を参照しながら説明する。
図１１は、ステップＳ１００１で行われる準備処理を示すフローチャートである。図１１において、まず、ステップＳ１１０１においてＤＶＤディスク１０９が装着されているか否かを判別する。
【００２８】
この判別の結果、ディスク装着済みの場合、ステップＳ１１０９に進んでビデオフォーマットとＶＲフォーマットの何れで記録されたＤＶＤディスク１０９であるかを検出する。すなわち、記録フォーマット検出を行なう。その後、ステップＳ１１１０において、検出した記録フォーマットを設定する。また、検出した記録フォーマットの情報をフラッシュメモリ１１３に記憶する。そして、検出した記録フォーマットに従って画像データをＤＶＤディスク１０９に記録する。
【００２９】
一方、ステップＳ１１０１の判別の結果、ＤＶＤディスク１０９が装着されていない場合、ステップＳ１１０２に進んでディスク装着を促す警告情報をディスプレイ１０６に表示し、その後ステップＳ１１０３においてディスクが装着されるのを待つ。この間にステップＳ１１１１において電源オフの操作が行われたか否かを判定し、電源オフの指示があると、ビデオカメラ１００の電源をオフして終了する。また、ステップＳ１１１１の判定において、電源オフの指示がない場合にはステップＳ１１０３に戻ってディスクが装着されるのを待つ。
【００３０】
また、ＤＶＤディスク１０９が装着されると、ステップＳ１１０４に進んでＤＶＤディスク１０９上に記録された管理情報を検出する。そして、ビデオフォーマットとＶＲフォーマットの何れで記録されたＤＶＤディスク１０９であるか、或いは、未記録ディスクであるかを識別する。すなわち、装着されたＤＶＤディスク１０９（記録媒体）が初期化済みであるか否かを判別する初期化判別を行なう。
【００３１】
この識別の結果、装着されたＤＶＤディスク１０９が未記録ディスクでなかった場合、つまり初期化済みであった場合、ステップＳ１１０９に移行し、ディスクの記録フォーマットを検出する。
【００３２】
一方、ステップＳ１１０４の識別の結果、未記録ディスクであった場合、ステップＳ１１０５に進み、ディスプレイ１０６に対し、記録フォーマットの選択用の画面を表示する。そして、ビデオフォーマットとＶＲフォーマットの何れのフォーマットで記録するかをユーザに問い合わせる。ユーザは操作スイッチ１０５により、記録フォーマットとしてＤＶＤビデオフォーマットとＶＲフォーマットの何れかを選択することができる。
【００３３】
次に、ステップＳ１１０６に進んで記録フォーマットが選択されたか否かを判断する。この判断の結果、記録フォーマットが選択されていない場合にはステップＳ１１０５に戻る。また、記録フォーマットが選択されると、ステップＳ１１０７に進み、ユーザによって選択された記録フォーマットに従い、装着された未記録ディスクを初期化処理する。次に、ステップＳ１１０８に進み、選択された記録フォーマットを設定すると共に、この記録フォーマットの情報をフラッシュメモリ１１３に記憶する。この様に、通常記録モードにおいては、初期化されていない未記録ディスクが装着される度に、記録フォーマットの選択用画面を表示し、ユーザが記録フォーマットを選択できるようにする。ＣＰＵ１１１は、選択用画面の選択状態に従って記録フォーマットの種類を選択する。
【００３４】
説明を図１０に戻す。
ステップＳ１００１において行われる準備処理が終了すると、次に、ステップＳ１００２において、操作スイッチ１０５により記録指示があったか否かを判別する。この判別の結果、記録開始の指示がない場合にはステップＳ１０１０にジャンプする。また、記録開始の指示があると、ステップＳ１００３に進み、ＤＶＤディスク１０９に対し、前述の如く生成した動画像データを記録する。このとき、準備処理にて設定された記録フォーマット、画質モードに従って画像データをＤＶＤディスク１０９に記録する。
【００３５】
次に、ステップＳ１００４に進み、ＤＶＤディスク１０９に記録された管理情報に基づいてＤＶＤディスク１０９の記録残量を検出し、このディスク残量が所定量以下となったか否かを判別する。なお、ステップＳ１００４において行われる判別は、現在の画質モード（データレート）にてＤＶＤディスク１０９に記録可能な残り時間が決められた時間（数分）以下となるようなデータ量を所定量とする。したがって、このときに比較する所定量は画質モードによって変わることになるが、何れの画質モードが設定されていても、ディスクの残量が一定量以下となったことを一律に判別するようにしてもよい。
【００３６】
ステップＳ１００４の判別の結果、ディスク残量が所定量以下でない場合にはステップＳ１００７にジャンプする。また、ディスク残量が所定量以下となると、ステップＳ１００５に進み、残量が少なくなった旨を示す警告情報をディスプレイ１０６に表示する。次に、ステップＳ１００６に進み、ＤＶＤディスク１０９の記録残量が無くなったか否かを判別する。この判別の結果、まだ記録残量が残っている場合、ステップＳ１００７に進み、操作スイッチ１０５により記録停止の指示があるか否かを判別する。この判別の結果、記録停止の指示がない場合にはステップＳ１００３に戻って記録を続ける。
【００３７】
ステップＳ１００７の判別の結果、記録停止の指示があった場合は、ステップＳ１００８に進み、ＤＶＤディスク１０９への記録を停止する。次に、ステップＳ１００９に進み、フラッシュメモリ１１３に格納されたＤＶＤディスク１０９の管理情報を更新する。
【００３８】
次に、ステップＳ１０１０において、操作スイッチ１０５により連続記録モードへの切り替え指示があったか否かを判別する。この判別の結果、連続記録モードへの切り替え指示があった場合、ステップＳ１０１５に進み、連続記録モードの処理を実行する。
【００３９】
また、ステップＳ１０１０の判別の結果、連続記録モードへの切り替え指示が無い場合、ステップＳ１０１１に進み、操作スイッチ１０５によりＤＶＤディスク１０９の排出指示があったか否かを判別する。この判別の結果、ディスク排出指示があった場合には、ステップＳ１０１２に進み、ＤＶＤディスク１０９をビデオカメラ１００から排出する。
【００４０】
次に、ステップＳ１０１３に進み、新たにＤＶＤディスク１０９が装着されたか否かを判別し、新たにＤＶＤディスク１０９が装着された場合にはステップＳ１００１に戻って準備処理を実行する。また、ステップＳ１０１３の判別の結果、ディスクが装着されない場合、ステップＳ１０１４に進み、電源オフの指示があったか否かを判別する。この判別の結果、電源オフの指示があると、現在通常記録モード中であることを示す情報をフラッシュメモリ１１３に格納した後、電源をオフする。
【００４１】
また、ステップＳ１０１１の判別の結果、ディスク排出指示が無い場合には、ステップＳ１０１８に進み、操作スイッチ１０５により電源オフの指示があったか否かを判別する。ここで、電源オフの指示があった場合には、現在通常記録モード中であることを示す情報をフラッシュメモリ１１３に格納した後、電源をオフする。また、電源オフの指示がなかった場合にはステップＳ１００２に戻って前述した処理を繰り返し行なう。
【００４２】
また、ステップＳ１００６の判別の結果、画像データの記録中にＤＶＤディスク１０９の記録残量が無くなったことを検出した場合にはステップＳ１０１６に進み、ＤＶＤディスク１０９への記録を停止する。次に、ステップＳ１０１７に進み、フラッシュメモリ１１３に格納されたＤＶＤディスク１０９の管理情報を更新する。その後、ステップＳ１０１１に移行してＤＶＤディスク１０９を排出するか否かを判別する。
【００４３】
次に、図１のビデオカメラ１００における連続記録モードの動作について、図２のフローチャートを用いて説明する。
ユーザは、操作スイッチ１０５における連続記録モードスイッチを操作することで、この連続記録モードを設定することができる。本実施形態では、ＤＶＤ−ＲＷディスクに画像データを記録した場合について説明する。また、連続記録モード設定後、再び連続記録モードスイッチを操作することで連続記録モードを解除することができる。
【００４４】
図２は、連続記録モードにおけるビデオカメラ１００の処理を示すフローチャートである。なお、図２の処理は、ＣＰＵ１１１がビデオカメラ１００の各部を制御することにより実現される。
【００４５】
電源オンの状態で、連続記録モードスイッチが操作されると、図２のフローチャートで示した処理がスタートする。まず、ステップＳ２０１にて、連続記録モードのための準備処理を実行する。この準備処理の詳細を、図７を参照しながら説明する。
【００４６】
図７は、連続記録モードの準備処理手順の一例を示すフローチャートである。
まず、ステップＳ７０１において、インターフェース１１０によりＤＶＤディスク１０９の決められた領域に記録されたディスクの固有ＩＤ情報を再生し、フラッシュメモリ１１３に書き込む処理を行なう。
【００４７】
次に、ステップＳ７０２に進み、フラッシュメモリ１１３内に、連続記録モードにて記録されたディスクの順序を示す順序情報が保存されているか否かを確認する。この確認の結果、連続記録モード切り替え後の最初のディスクであった場合、順序情報が保存されていないため、ステップＳ７０９に進み、ステップＳ７０１で検出した固有ＩＤを用いて順序情報を生成し、フラッシュメモリ１１３に格納する。
【００４８】
図８は、順序情報を示す図であり、連続記録モード設定時における順序情報の例を８０１に示す。８０１では、順序を示す番号と、その順序に対応するディスクの固有ＩＤ、ここでは、「ＡＢＣＤ０００１」とを順序情報として保存している。
【００４９】
一方、ステップＳ７０２の確認の結果、順序情報が既にフラッシュメモリ１１３に保存されている場合には、ステップＳ７０３に進み、ステップＳ７０１にて検出した固有ＩＤが順序情報に登録（記載）されているか否かを判別する。この判別の結果、固有ＩＤが順序情報に登録されていない場合、新たなディスクが装着されたと判断し、ステップＳ７０４に進み、この固有ＩＤを順序情報に追加して、順序情報の内容を更新する。
【００５０】
図８の８０２は、２枚目のディスクが装着された場合に生成（更新）された順序情報の例を示している。ここでは、２番目のディスクの固有ＩＤが「ＥＦＧＨ０００２」となっている。同様に、８０３は３枚目のディスクが装着された場合に生成された順序情報の例を示している。ここでは、３番目のディスクの固有ＩＤが「ＩＪＫＬ０００３」となっている。この様に、順序情報は、ディスクの順序を示す数値と、ディスクのＩＤ情報とを含む。
【００５１】
次に、ステップＳ７０５に進み、現在装着されているＤＶＤディスク１０９が初期化処理済みであるか否かを判別する。この判別の結果、連続記録モードスイッチが操作された後の最初のディスクであった場合、既に初期化済のはずなのでステップＳ７０６に進む。また、後述の様に、新たにディスクが装着された場合には、ステップＳ７０５で初期化済みであるか否かを判別することになる。
【００５２】
ステップＳ７０５の判別の結果、ＤＶＤディスク１０９が初期化済みであった場合、ステップＳ７０６に進み、ディスクの管理情報に基づいて記録フォーマットを検出し、このディスクに対する記録フォーマットとして設定する。
【００５３】
一方、ステップＳ７０５の判別の結果、ＤＶＤディスク１０９が初期化済でなかった場合には、未記録ディスクと判断してステップＳ７１１に進む。ステップＳ７１１においては、フラッシュメモリ１１３に記憶された記録フォーマットの情報を読み出し、このディスクに対する記録フォーマットとして設定する。次に、ステップＳ７１２に進み、設定された記録フォーマットに従って、ディスクを初期化処理する。
【００５４】
すなわち、ここでは、通常の未記録ディスク装着時の様に記録フォーマットの選択画面を表示せず（選択用画面を表示することを禁止する）、ユーザに記録フォーマットの選択をさせずに、交換前のディスクの記録フォーマットに従ってディスクの初期化処理を実行する。
【００５５】
記録フォーマットの設定が完了すると、ステップＳ７０７において、ディスプレイ１０６に対し、連続記録モードを示す情報を表示する。図５は、連続記録モード時に表示する情報を示しており、現在のディスクが１枚目のディスク（先に装着されたディスク）の場合、５０１のように、何枚目のディスクかを示す情報を表示する。
【００５６】
更に、ＤＶＤディスク１０９の管理情報を生成し、フラッシュメモリ１１３に格納する。この他、連続記録モード設定直後、或いは、新たなディスクが装着された場合には、後述の様に、連続記録モードのための動画像データを記録するための領域をＤＶＤディスク１０９上に確保する（ステップＳ７０８）。
【００５７】
また、ステップＳ７０３の判別において、固有ＩＤが順序情報に登録済みの場合にはステップＳ７１０に進み、ディスクの管理情報に基づいて、このディスクの記録フォーマットがビデオフォーマットとＶＲフォーマットの何れであるかを検出する。そして、検出した記録フォーマットをこのディスクに対する記録フォーマットとして設定し、ステップＳ７０７に進む。この様にして、図７で説明した準備処理が終了すると、図２のフローチャートに示した処理に戻る。
【００５８】
ステップＳ２０１において準備処理が終了すると、ステップＳ２０２に進み、操作スイッチ１０５により記録指示があったか否かを判別する。この判別の結果、記録開始の指示がなかった場合にはステップＳ２１０にジャンプする。また、記録開始の指示があると、ステップＳ２０３に進み、ＤＶＤディスク１０９に対し、前述の如く生成した動画像データを記録する。このとき、準備処理にて設定された記録フォーマット、画質モードに従って画像データをＤＶＤディスク１０９に記録する。
【００５９】
次に、ステップＳ２０４において、ＤＶＤディスク１０９に記録された管理情報に基づいてＤＶＤディスク１０９の記録残量を検出し、このディスク残量が所定量以下となったか否かを判別する。なお、ステップＳ２０４においては、現在の画質モード（データレート）にてＤＶＤディスク１０９に記録可能な残り時間が決められた時間（数分）以下となるようなデータ量を所定量とする。したがって、このときに比較する所定量は画質モードによって変わることになるが、何れの画質モードが設定されていても、一律にディスクの残量が一定量以下となったことを判別するようにしてもよい。
【００６０】
ステップＳ２０４における記録残量検出の結果、ディスク残量が所定量以下でない場合にはステップＳ２０７にジャンプする。また、ディスク残量が所定量以下となると、ステップＳ２０５に進み、残量が少なくなった旨を示す警告情報をディスプレイ１０６に表示する。図５の５０２は、１枚目のディスクの記録中に残量が少なくなった場合に表示する警告情報の一例を示している。
【００６１】
次に、ステップＳ２０６において、ＤＶＤディスク１０９の記録残量が無くなったか否かを判別する。この判別の結果、まだ記録残量が残っている場合にはステップＳ２０７に進み、操作スイッチ１０５により記録停止の指示があるか否かを判別する。記録停止の指示がない場合にはステップＳ２０３に戻って記録を続ける。
【００６２】
ステップＳ２０７の判別の結果、記録停止の指示があった場合にはステップＳ２０８に進み、ＤＶＤディスク１０９への記録を停止する。次に、ステップＳ２０９に進み、フラッシュメモリ１１３に格納されたＤＶＤディスク１０９の管理情報を更新する。
【００６３】
次に、ステップＳ２１０において、操作スイッチ１０５により連続記録モードの解除指示があったか否かを判別する。この判別の結果、連続記録モードの解除指示があった場合、ステップＳ２１５に移行して連続記録モードにおける順序情報記録処理を実行する。この順序情報記録処理については後述する。
【００６４】
ステップＳ２１０の判別の結果、連続記録モードの解除指示が無い場合にはステップＳ２１１に進み、操作スイッチ１０５によりＤＶＤディスク１０９の排出指示があったか否かを判別する。この判別の結果、ディスク排出指示があった場合にはステップＳ２１２に進み、ＤＶＤディスク１０９をビデオカメラ１００から排出する。このとき、現在のディスクの記録残量が無かった場合には、例えば、未記録ディスクの装着を指示する警告情報をディスプレイ１０６に表示してもよい。次に、ステップＳ２１３に進んで新たにＤＶＤディスク１０９が装着されたか否かを判別し、新たにＤＶＤディスク１０９が装着された場合にはステップＳ２０１に戻って準備処理を実行する。
【００６５】
また、ステップＳ２１３の判別の結果、ディスクが装着されない場合にはステップＳ２１４に進んで操作スイッチ１０５により電源オフの指示があったか否かを判別する。ここで、電源オフの指示がなかった場合にはステップＳ２１３に戻る。また、電源オフの指示があった場合には、現在連続記録モード中であることを示す情報をフラッシュメモリ１１３に格納した後、電源をオフする。
【００６６】
また、ステップＳ２１１の判別の結果、ディスク排出指示が無い場合にはステップＳ２１８に進んで操作スイッチ１０５により電源オフの指示があったか否かを判別する。この判別の結果、電源オフの指示がなかった場合にはステップＳ２０２に戻って前述した処理を繰り返し行なう。また、電源オフの指示があった場合には、現在連続記録モード中であることを示す情報をフラッシュメモリ１１３に格納した後、電源をオフする。
【００６７】
また、ステップＳ２０６の判別の結果、画像データの記録中にＤＶＤディスク１０９の記録残量が無くなったことを検出した場合にはステップＳ２１６に進み、ＤＶＤディスク１０９への記録を停止する。次に、ステップＳ２１７に進んでフラッシュメモリ１１３に格納されたＤＶＤディスク１０９の管理情報を更新し、その後、ステップＳ２１２に移行してＤＶＤディスク１０９を排出する。
【００６８】
図２に示した様に、連続記録モードにおいては、新たに未記録のディスクが装着された場合、フラッシュメモリ１１３に記憶された記録フォーマットに従いディスクの初期化処理を行う。
【００６９】
すなわち、先に装着された前記記録媒体に代えて新たに装着された未記録ディスクの直前に装着されていたディスクの記録フォーマットに従い、未記録ディスクを初期化処理する。また、連続記録モード中にて記録された各ディスクの記録（装着）順序と、ディスクの固有ＩＤを対応づけた順序情報が生成され、フラッシュメモリ１１３に格納される。
【００７０】
次に、ステップＳ２１５における順序情報の記録処理について説明する。
例えば、連続記録モードで３枚のディスクに対して画像データを記録した後、操作スイッチ１０５により連続記録モードの解除指示があった場合について説明する。
【００７１】
図４は、連続記録モードにて３枚のディスクに亘って画像データを記録した場合の、各ディスク上の記録イメージを示す図である。図４Ａの４０１はＤＶＤディスク１０９の先頭から終端までの記録領域を示す図である。
記録領域４０１において、４０１ａは光ビームのパワー調整用の領域である。４０１ｂは管理情報記録領域である。４０１ｃは画像データや音声データなどのユーザデータの記録領域である。４０１ｄはディスク終端部に設けられた管理情報領域である。
【００７２】
また、４０２〜４０４は、ファイナライズ処理の前における、連続記録モードで記録された３枚のディスクに記録されたデータの様子を示している。ここで、１番目のディスク４０２の領域４０２ａには、連続記録モードを設定した際に記録された管理情報Ｐが記録される。また、「＊１〜＊３」の動画データ４０２ｂ、４０２ｃ、４０２ｄが記録される。
【００７３】
また、２番目のディスク４０３には、「＊４、＊５」の２つの動画データ４０３ａ、４０３ｂが記録されている。また、３番目のディスク４０４には「＊６」の１つの動画データ４０４ａが記録されている。
【００７４】
図３は順序情報記録処理手順の一例を示すフローチャートである。図３で説明する各処理は、ＣＰＵ１１１がビデオカメラ１００の各部を制御することにより実行される。
図３において、まず、ステップＳ３０１において、現在装着されているディスクの記録フォーマットがＤＶＤビデオフォーマットであるか否かを判別する。
【００７５】
そして、ビデオフォーマットであった場合、ＤＶＤビデオフォーマットで記録したディスクを他のＤＶＤプレーヤーで再生したい場合にはファイナライズ処理を実行しておくことが必要となる。このため、本実施形態では、このディスクに対してファイナライズ処理を実行する。
【００７６】
ファイナライズ処理は、ＤＶＤディスク１０９に記録されているデータの量によっては、数分から数十分の時間が必要な場合がある。そこで、本実施形態では、ファイナライズ処理の前に、ステップＳ３０２において、ファイナライズ処理を完了するまでに必要なバッテリ残量が残っているか否かを判別する。この判別の結果、バッテリ容量不足の場合、ステップＳ３１５に進み、図５の５０３に示すような警告情報を表示し、新たなバッテリが装着されるか、或いは、ＡＣ電源が供給されるのを待つ。
【００７７】
ステップＳ３０２の判別の結果、ファイナライズ処理可能な状態となると、ステップＳ３０３に進み、ＤＶＤメニューにて用いるＤＶＤタイトル名をユーザが入力する（ここでは「運動会」と入力されたことにする）。
【００７８】
次に、ステップＳ３０４に進み、現在装着されているディスクの固有ＩＤ情報（図２の準備処理にて検出されている）と、フラッシュメモリ１１３に保持されている順序情報とに基づいて、現在のディスクが何番目のディスクであるかを識別する。そして、画像処理部１１４、動画符号化復号化部１０８により、現在のディスクの前、または後のディスクを示す動画データを生成する。例えば、３番目のディスクをファイナライズ処理している場合には、「２番目のディスクを再生してください」という文字情報を示す動画データを生成する。また、２番目のディスクを処理している場合には、「１番目のディスクを再生してください」、「３番目のディスクを再生してください」という文字情報を示す動画データを生成する。
【００７９】
次に、ステップＳ３０５に進み、現在のディスクの固有ＩＤと順序情報と基づいて、メニューデータを生成する。具体的には、現在のディスクに記録されている動画データのサムネイルと、現在のディスクの前、或いは後のディスクを示すサムネイル、及びステップＳ３０３で入力したタイトルからなるメニュー画面の画像データを生成する。更に、各サムネイルと記録された動画データを対応づける為の情報もメニューデータとして生成する。
【００８０】
更に、本実施形態では、今回の連続記録モードで動画像データが記録されたディスクの総数と、その中で、現在のディスクが何番目のディスクであるかということを示す文字情報をメニュー画面として生成する。
【００８１】
次に、ステップＳ３０６に進み、ステップＳ３０５において生成したＤＶＤメニューデータと動画データ、及びＤＶＤディスク１０９に記録されたデータを管理するための管理情報をＤＶＤディスク１０９の決められた領域に記録する。なお、ここで各データを記録する領域は、図４に示した通りである。
【００８２】
一方、ステップＳ３０１の判別の結果、記録フォーマットがＶＲフォーマットであった場合にはステップＳ３１６に進み、現在のディスクの固有ＩＤとフラッシュメモリ１１３に記憶された順序情報とに基づいて現在のディスクの順序を識別する。そして、前述の様に現在のディスクの前、または後のディスクを示す動画データを生成する。
【００８３】
次に、ステップＳ３１７に進み、順序情報、生成した動画データ、及び、ディスクに記録されたデータを管理するための管理情報をＤＶＤディスク１０９の決められた領域に記録する。その後、ステップＳ３０７に進む。１つのディスクに対して以上の処理が完了すると、このディスクの固有ＩＤを順序情報の記録処理済みのディスクＩＤとしてフラッシュメモリ１１３に格納する。
【００８４】
ステップＳ３０７においては、フラッシュメモリ１１３に格納された順序情報に基づいて、連続記録モードで記録されたディスクのうち、まだ順序情報の記録処理済でないディスクが残っているか否かを判別する。この判別の結果、順序情報記録処理済みでないディスクが残っていない場合、順序情報と、順序情報記録処理済のディスクＩＤをフラッシュメモリ１１３から消去して処理を終了する。
【００８５】
また、ステップＳ３０７の判別の結果、順序情報記録処理済でないディスクが残っている場合、ステップＳ３０８に進む。そして、フラッシュメモリ１１３に格納された順序情報に基づいて、残りのディスク枚数を検出し、残りディスクの情報をディスプレイ１０６に表示する。
【００８６】
次に、ステップＳ３０９において、ディスクの排出指示を待ち、排出指示が行われた場合にはステップＳ３１０に進んでディスクを排出する。その後、ステップＳ３１１において別のディスクが装着されるのを待つ。そして、新たにディスクが装着されると、ステップＳ３１２に進んでこのディスクの固有ＩＤを検出する。
【００８７】
次に、ステップＳ３１３において、検出した固有ＩＤがフラッシュメモリ１１３に保持された順序情報に含まれているか否か、及び既に順序情報が記録されたディスクであるかを判別する。この判別の結果、検出した固有ＩＤが順序情報に含まれていない場合、或いは、このディスクが既にファイナライズ処理済であった場合には、ステップＳ３１４に進み、図５の５０４に示す警告表示をディスプレイ１０６に表示し、ステップＳ３１１に戻る。
【００８８】
また、ステップＳ３１３の判断の結果、装着されたディスクが順序情報に含まれており、且つ、順序情報記録処理済でなかった場合、ステップＳ３０１に戻り、前述の処理を実行する。
【００８９】
この様に、連続記録モードで記録された全ディスクに対する順序情報の記録処理が終わった状態のディスクイメージを図４Ｂに示す。図４Ｂにおいて、４０２〜４０４はそれぞれ、順序情報記録処理の後における、連続記録モードで記録された３枚のディスクに記録されたデータの様子を示している。
【００９０】
図４は、ビデオフォーマットで記録されたディスクの様子を示しており、領域４０２ｅ，４０２ｇ，４０３ｃ，４０３ｅ，４０４ｂ，４０４ｅにはそれぞれ管理情報Ｆが記録される。また、領域４０２ｆ、４０３ｄ、４０４ｃにはそれぞれ、前または後のディスクを示す動画データが記録される。また、４０４ｄには、ＤＶＤビデオフォーマットに従うダミーデータが記録される。
【００９１】
図６は、この様に連続記録モードでビデオフォーマットに従って記録され、ファイナライズ処理された３枚のディスクのメニュー画面を示す図である。これは、それぞれのＤＶＤディスク１０９をＤＶＤプレーヤーにて再生したときに表示されるメニュー画面である。
【００９２】
図６に示す様に、ユーザが入力したタイトル「運動会」がメニュー画面に表示される。また、６０１は１枚目のディスクのメニュー画面であり、ディスクに記録された３つの動画シーンのサムネイル「＊１〜＊３」と、次のディスクを示すサムネイルが表示される。ここで、動画のサムネイル「＊１〜＊３」の何れかを選択して再生を指示した場合、各シーンの動画データが再生される。また、次のディスクを示すサムネイル「ＤＩＳＣ２」を選択すると、このサムネイルに対応する動画データが、図４Ｂの４０２ｆから再生され、例えば、「ＤＩＳＣ２を挿入してください」という文字が再生される。
【００９３】
また、６０２は２枚目のディスクのメニュー画面であり、ディスクに記録された２つの動画シーンのサムネイル「＊４、＊５」と、前のディスク、及び次のディスクを示すサムネイルが表示される。ここで、動画のサムネイル「＊４、＊５」の何れかを選択して再生を指示した場合、各シーンの動画データが再生される。また、次のディスクを示すサムネイル「ＤＩＳＣ３」を選択すると、このサムネイルに対応する動画データが、再生され、例えば、「ＤＩＳＣ３を挿入してください」という文字が再生される。
【００９４】
また、６０３は３枚目のディスクのメニュー画面であり、ディスクに記録された動画シーンのサムネイル「＊６」と、前のディスクを示すサムネイル「ＤＩＳＣ２」が表示される。ここで、動画のサムネイル「＊６」を選択して再生を指示した場合、＊６のシーンの動画データが再生される。また、前のディスクを示すサムネイル「ＤＩＳＣ２」を選択すると、このサムネイルに対応する動画データが再生され、例えば、「ＤＩＳＣ２を挿入してください」という文字が再生される。
【００９５】
更に、図６のメニュー画面では、連続記録モードで記録された全ディスクの枚数と、その中の順序を示す付加情報が表示されている。例えば、１番目のディスクでは、６０１に示すように、「１／３」と表示される。また、２番目のディスクでは、６０２に示すように、「２／３」と表示され、３番目のディスクでは、６０３に示すように「３／３」と表示される。これにより、ユーザは、タイトル「運動会」として連続記録モードで記録されたディスクが全部で３枚あり、このディスクはそのうち１番目のディスクであることが容易に理解することができる。
【００９６】
なお、ここでは１番目のディスクに対し、「ＤＩＳＣ２」のサムネイルに対応する動画データを記録していたが、これは、「ＤＩＳＣ２を挿入してください」という文字列を表示する静止画でもよい。また、ディスクのメーカー名などの情報を検出し、ステップＳ７０１においてディスクの固有ＩＤと共にフラッシュメモリ１１３に保持しておき、これをファイナライズ時にメニュー画面に変換してディスクに記録しておいてもよい。さらに、ディスクＩＤそのものもディスクの製造番号やメーカーなど複数の情報を組み合わせた形で特定するようにしてもよい。
【００９７】
この様に、本実施形態によれば、連続記録モードに設定した場合、未記録のディスクが装着されると、メモリに記憶しておいた先のディスクの記録フォーマットに従って自動的にＤＶＤディスク１０９を初期化処理する。
【００９８】
そのため、ユーザは、初期化されていない未記録ディスクが装着される度に、記録フォーマットの設定処理を行なわずに済むため、迅速に撮影を開始することが可能となる。また、連続記録モードに設定していない状態では、未記録ディスクが装着される度に、ユーザが任意に記録フォーマットを選ぶことができる。
【００９９】
そのため、各ディスクのメニューを見るだけで、このグループの全ディスク数と、ディスク順序を容易に認識することが可能となる。また、本実施形態では、ファイナライズの際にＤＶＤタイトル名をユーザが入力する構成だったが、これ以外にも、例えば、連続記録モード設定時に今回の連続記録モードにより記録するディスクグループの名前を入力してもよい。
【０１００】
また、本実施形態では、ＤＶＤなどの光ディスクに対して画像データを記録再生するビデオカメラについて説明したが、光ディスク以外にも、メモリカードや磁気ディスクなどの記録媒体を用いた場合にも同様に本発明を適用可能である。
【０１０１】
例えば、メモリカードでは、ＤＶＤメニュー画面が無いので、カードの管理ファイル内に順序情報を格納しておき、再生時に、この順序情報に基づいてグループ内の順序とグループのカードの総数を表示してもよい。
【０１０２】
また、本実施形態では、２種類の記録フォーマットのうち何れかを選択して記録する場合について説明したが、３種類以上の複数種類の記録フォーマットの何れかを選択する構成でもよい。
（本発明に係る他の実施形態）
前述した本発明の実施形態における記録装置を構成する各手段、並びに記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【０１０３】
また、本発明は、例えば、システム、装置、方法、プログラムもしくは記憶媒体等としての実施形態も可能である。具体的には、複数の機器から構成されるシステムに適用してもよいし、また、１つの機器からなる装置に適用してもよい。
【０１０４】
なお、本発明は、前述した実施形態の機能を実現するソフトウェアのプログラム（実施形態では図２、図３、図７、図９〜図１１に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【０１０５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１０６】
その場合、プログラムの機能を有していれば、オブジェクトコード、インタプリタにより実行されるプログラム、ＯＳに供給するスクリプトデータ等の形態であってもよい。
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ，ＤＶＤ−Ｒ）なども含む。
【０１０７】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記録媒体にダウンロードすることによっても供給できる。
【０１０８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１１０】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行ない、その処理によっても前述した実施形態の機能が実現され得る。
【０１１１】
さらに、記録媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１１２】
【図１】実施形態のビデオカメラの構成例を説明するブロック図である。
【図２】連続記録モード時の動作手順の一例を示すフローチャートである。
【図３】順序情報の記録動作手順の一例を示すフローチャートである。
【図４Ａ】連続記録モードにて記録された各ディスクの記録状態の一例を示す図である。
【図４Ｂ】連続記録モードにて記録された各ディスクの記録状態の一例を示す図である。
【図５】ディスプレイに表示される情報の一例を示す図である。
【図６】ディスクのタイトルメニューの一例を示す図である。
【図７】準備処理手順の一例を示すフローチャートである。
【図８】順序情報の一例を示す図である。
【図９】記録動作手順の一例を示すフローチャートである。
【図１０】通常記録モードの動作の一例を示すフローチャートである。
【図１１】通常記録モードの準備動作の一例を示すフローチャートである。
【符号の説明】
【０１１３】
１００  ビデオカメラ
１０１  レンズ群
１０２  撮像素子
１０３  カメラ信号処理部
１０４  画像メモリ
１０５  操作スイッチ
１０６  ディスプレイ
１０７  静止画符号化復号化部
１０８  動画符号化復号化部
１０９  ＤＶＤディスク
１１０  インターフェース
１１１  ＣＰＵ
１１２  プログラムメモリ
１１３  フラッシュメモリ
１１４  画像処理部
１１５  フォーマット化部
１１６  ショックプルーフメモリ
１１７  データバス
【図１】
2007328901.tif 000003
【図２】
2007328901.tif 000004
【図３】
2007328901.tif 000005
【図４Ａ】
2007328901.tif 000006
【図４Ｂ】
2007328901.tif 000007
【図５】
2007328901.tif 000008
【図６】
2007328901.tif 000009
【図７】
2007328901.tif 000010
【図８】
2007328901.tif 000011
【図９】
2007328901.tif 000012
【図１０】
2007328901.tif 000013
【図１１】
2007328901.tif 000014